(57)【要約】【課題】グリップ部材の把持感触がよく、滑り止め効果が向上するとともに、成形性のよい筆記具の軸筒を提供するする。【解決手段】軸筒本体の把持部に、軟質材からなるグリップ部材を二色成形によって装着してなる筆記具の軸筒において、前記把持部に、軸心方向に沿って延びる貫通孔を、周方向に適宜間隔を空けて複数個、形成し、前記グリップ部材を、前記貫通孔を覆うように装着するとともに、前記貫通孔に対向するグリップ部材の外表面に、軸心方向に沿って延びる凹部を形成したことを特徴とする。【選択図】          図２
2010082809.tif 000002
【特許請求の範囲】
【請求項１】
軸筒本体の把持部に、軟質材からなるグリップ部材を二色成形によって装着してなる筆記具の軸筒において、前記把持部に、軸心方向に沿って延びる貫通孔を、周方向に適宜間隔を空けて複数個、形成し、前記グリップ部材を、前記貫通孔を覆うように装着するとともに、前記貫通孔に対向するグリップ部材の外表面に、軸心方向に沿って延びる凹部を形成したことを特徴とする筆記具の軸筒
【請求項２】
前記グリップ部材が、略均一の肉厚であることを特徴とする請求項１に記載の筆記具の軸筒
【請求項３】
前記貫通孔間の把持部に対向する位置のグリップ部材の外表面を把持することで、前記貫通孔間の把持部が、軸筒本体の内方方向に撓み可能としたことを特徴とする請求項１または２に記載の筆記具の軸筒
【発明の詳細な説明】
【技術分野】
【０００１】
本発明は、軸筒本体の把持部に、軟質材からなるグリップ部材を二色成形によって装着してなる筆記具の軸筒に関する。
【背景技術】
【０００２】
従来から、軸筒本体の把持部に、軟質材からなるグリップ部材を装着してなる筆記具の軸筒構造はよく知られている。
【０００３】
こうした筆記具の軸筒において、把持感触の向上や長時間の筆記の疲れを抑制するため、軸筒本体の把持部にグリップ部材を装着してなる筆記具の軸筒もよく知られている。
【０００４】
ところで、グリップ部材を握った時の把持感触を向上させる技術として、実開平７−１５３７３号号「軸体のグリップ」や実開平７−３７６８０号「軸体のグリップ装置」等で、軸筒の把持部とグリップ部材の内壁面とに空隙を設けることで、グリップ部材の変形量を多くすることが開示されている。
【０００５】
また、軟らかいフィット感を出す機能の向上を得るために、特開平１１−１３９０７０号「筆記具の軸」では、軸筒本体の把持部に、内部への貫通穴を形成し、この貫通孔を塞ぐようにグリップ部材を装着することで、貫通穴内部への変形を可能とした筆記具の軸筒が開示されている。
【特許文献１】実開平７−１５３７３号公報
【特許文献２】実開平７−３７６８０号公報
【特許文献３】特開平１１−１３９０７０号公報
【発明の開示】
【発明が解決しようとする課題】
【０００６】
しかし、特許文献１、２は、軸筒の把持部とグリップ部材の内壁面とに空隙を設ける必要があり、グリップ部材の外径を大きくする、または、軸筒の把持部外径を小さくする等の構造上の制約が多いという問題があった。
【０００７】
また、特許文献３は、内部への貫通穴を形成し、この貫通孔を塞ぐようにグリップ部材を装着するので、グリップ部材の肉厚量を厚くする必要があり、貫通孔を形成した部分でヒケが発生し易い等、成形性が悪いという問題があった。
【０００８】
本発明の目的は、本発明者は上記問題を鑑み、グリップ部材の把持感触がよく、滑り止め効果が向上するとともに、成形性のよい筆記具の軸筒を提供することである。
【課題を解決するための手段】
【０００９】
本発明は、軸筒本体の把持部に、軟質材からなるグリップ部材を二色成形によって装着してなる筆記具の軸筒において、前記把持部に、軸心方向に沿って延びる貫通孔を、周方向に適宜間隔を空けて複数個、形成し、前記グリップ部材を、前記貫通孔を覆うように装着するとともに、前記貫通孔に対向するグリップ部材の外表面に、軸心方向に沿って延びる凹部を形成したことを特徴とする。
【００１０】
また、前記グリップ部材が、略均一の肉厚であることを特徴とする。
【００１１】
また、前記貫通孔間の把持部に対向する位置のグリップ部材の外表面を把持することで、前記貫通孔間の把持部が、軸筒本体の内方方向に撓み可能としたことを特徴とする。
【発明の効果】
【００１２】
本発明は、グリップ部材の把持感触がよく、滑り止め効果が向上するとともに、成形性のよい筆記具の軸筒を提供することができた。
【発明を実施するための最良の形態】
【００１３】
次に図面を参照しながら、本発明の筆記具の軸筒の実施例を説明するが、本発明は以下の実施例に限定されるものではない。
【００１４】
実施例１
図１から図３に示す実施例１の筆記具の軸筒１は、ポリプロピレンからなる前軸２と後軸３を螺合して軸筒本体を構成し、軸筒本体２、３内には、筆記具用インキ（図示せず）を収容したインキ収容管６の先端部にボールペンチップ７を装着した筆記具用レフィルを配設してあり、前軸２を取り外すことで、筆記具用レフィルを交換可能としてある。また、前軸２の把持部には、オレフィン系の熱可塑性エラストマー（硬度、Ｈｓ５０）からなるグリップ部材４を２色成形にて一体に、かつ把持部に融着して装着してある。
【００１５】
前軸２の把持部には、軸心方向に沿って延びる貫通孔５を、適宜間隔を空けて周方向の異なる位置に６箇所、形成してあり、この貫通孔５を閉鎖し、覆うようにグリップ部材４を装着してある。このように、前軸２の把持部に、軸心Ｊ方向に沿って延びる貫通孔５を、周方向に適宜間隔を空けて６箇所、形成することで、貫通孔５間に帯状の把持部２ａが６箇所、形成される。
【００１６】
グリップ部材４には、軸心方向に沿って延びる凹部４ａを、適宜間隔を空けて、貫通孔５に対向するグリップ部材４の外表面の６箇所に形成してある。このように、貫通孔５に対向するグリップ部材４の外表面に凹部４ａを形成することで、グリップ部材４を把持した時の周方向への滑り止め効果が高まるとともに、貫通孔を閉鎖するグリップ部材の肉厚を薄くすることができるので、ヒケ等が発生し難くすることができる。
【００１７】
また、貫通孔５間の帯状の把持部２ａに対向する位置のグリップ部材４を把持した時の指の押圧力（図３の矢印Ｇ方向）によって、貫通孔５間の帯状の把持部２ａが、前軸２の内方方向に撓み可能としてある。
【００１８】
このように、貫通孔５間の帯状の把持部２ａに対向する位置のグリップ部材４を把持した時の指の押圧力（図３の矢印Ｇ方向）によって、貫通孔５間の帯状の把持部２ａが、前軸２の内方方向に撓むことによって、グリップ部材４の外表面の凹部４ａにより、グリップ部材４も前軸２の内方方向へ変形（図３の矢印Ｈ方向）しやすいので、グリップ部材４の外径や前軸２の把持部外径に影響することなく、グリップ部材４の把持感触及び滑り止め効果を向上することができるので、最も好ましい。
【００１９】
貫通孔５間の把持部２ａに対向する位置のグリップ部材４を把持することで、貫通孔５間の把持部２ａが、軸筒本体の内方方向に撓み可能とするには、具体的は、貫通孔５間の把持部２ａが撓みを開始する押圧力が５００ｇを超えると、把持力の弱い使用者が把持しても内側に撓まない恐れがあるため、５００ｇ以下の押圧力で撓むことが望ましい。一方、１０ｇ未満の押圧力で把持部２ａが撓むと、筆記の時に安定して把持し難く、細かな文字等を筆記し難い問題があるため、１０ｇ以上、５００ｇ以下の押圧力で撓むことが好ましい。
【００２０】
この貫通孔５間の把持部２ａが、軸筒本体の内方方向に撓む押圧力は、プッシュプルスケールの先端部に、先端８ａが鋭角な縦断面が略三角形の補助具８を取付け、貫通孔５間の把持部２ａに対し、補助具８の先端８ａが前軸２の軸心Ｊの略垂線上に位置させて、グリップ部材４を装着した前軸２を金属板等の硬質の平滑面９上に横向きに置き、補助具８の先端８ａがグリップ部材４に当接した状態から荷重を加え、荷重方向（図４の矢印Ｉ方向）に、貫通孔５間の把持部２ａが沈んだ時の荷重を測定した数値を押圧力とするものである。
【００２１】
貫通孔５の数は、特に限定されるものではないが、筆記時に、親指、人差し指、中指の３本が当接することを考慮して、貫通孔５を径方向で３箇所以上形成し、貫通孔５間の把持部２ａを３箇所以上設けることが最も好ましい。尚、把持した時の感触のバラツキを抑制するには、略同一幅の貫通孔を均等間隔に形成することが好ましい。
【００２２】
また、凹部４ａの数や形成位置も特に限定されるものではないが、凹部４ａは、グリップ部材４を割り型の成形品で形成する場合を考慮して、抜き勾配を形成することが好ましい。また、貫通孔に対向するグリップ部材４の外表面に凹部４ａを形成し、グリップ部材の肉厚を略均一とすることによって、成型性が良好となる効果も奏する。
【００２３】
尚、本実施例では便宜上、前軸２の先端部に口先部２ｂを一体に形成してあるが、前軸２の先端部に口先部材を螺着した構造であってもよい。但し、実施例のように、前軸２に口先部２ｂとを一体に形成することで、口先部を装着する手間が省けるとともに、口先部との装着部を設けなくてもよいので、口先部の後端近傍まで貫通孔を形成できるので、口先部近傍を把持しても貫通孔間の把持部に当接するため、最も好ましい。
【００２４】
また、実施例では、前軸２と後軸３を着脱自在に連結して軸筒を得ているが、前軸２と後軸３を一体に形成してあってもよい。
【００２５】
尚、本発明の筆記具の軸筒には、ポリプロピレン、ポリエチレンテレフタレート、アクリル樹脂、ＡＢＳ樹脂等の樹脂材料や金属等、筆記具の軸筒として知られている材料を適宜選択して用いることができるが、曲げ性の高い材料、例えば、ポリプロピレンを用いることで、貫通孔間の把持部が、軸筒本体の内方方向に撓み易く、撓み量を大きくすることが可能となるため最も好ましい。
【００２６】
また、本発明のグリップ部材は、軸筒と２色成形により一体に装着できれば特に限定されないが、透明又は半透明のグリップ部材とすることで、軸筒内のボールペンレフィルのインキ色やインキ残量を外部から視認することができる。
【産業上の利用可能性】
【００２７】
本発明の筆記具の軸筒は、インキやペン先の種類、出没機構に限定されるものではないので、ノック式筆記具、キャップ式筆記具として広く利用可能であり、特に、軸筒内に複数の筆記体を配設した多芯筆記具においては、軸筒の外径が大きくなる傾向であるため、本発明の効果は顕著である。
【図面の簡単な説明】
【００２８】
【図１】実施例１の筆記具の軸筒を示す、縦断面図である。
【図２】図１におけるボールペンレフィルを省略した前軸の縦断面図である。
【図３】図２におけるＡ−Ａ断面図である。
【図４】貫通孔間の把持部における撓みの押圧力を測定する図である。
【符号の説明】
【００２９】
１  筆記具の軸筒
２  前軸
２ａ  貫通孔間の把持部
２ｂ  口先部
３  後軸
４  グリップ部材
４ａ  凹部
５  貫通孔
６  インキ収容管
７  ボールペンチップ
【図１】
2010082809.tif 000003
【図２】
2010082809.tif 000004
【図３】
2010082809.tif 000005
【図４】
2010082809.tif 000006